(57)【要約】【課題】嵩張らず、使用が直感的であり、ウェアラブルデバイスに常駐し、より大きなシステムと通信可能であるかまたはその一部となり得るバーコード読取システムを提供すること。【解決手段】スマートウォッチは、内蔵カメラと；バーコード復号ソフトウェアと；スマートウォッチ上に視覚ディスプレイを備えるユーザインターフェースシステムと；カメラと、ユーザインターフェースシステムと、バーコード復号ソフトウェアとに通信可能に接続されるプロセッサとを備える。プロセッサは、バーコード読取および復号動作用に構成される。バーコード読取および復号動作は：スマートウォッチ上でビューファインダを起動し、ビューファインダ内でバーコードを位置合わせし；ビューファインダ内で位置合わせされたバーコードの画像をカメラで撮影し、バーコード画像をバーコード復号ソフトウェアに入力し；復号されたバーコード情報を視覚ディスプレイへ送信するように構成される。【選択図】図１
2016091567.tif 000002
【特許請求の範囲】
【請求項１】
スマートウォッチであって、
カメラと、
バーコード復号ソフトウェアと、
前記スマートウォッチ上に視覚ディスプレイを備えるユーザインターフェースシステムと、
前記カメラと、前記ユーザインターフェースシステムと、前記バーコード復号ソフトウェアとに通信可能に接続されるプロセッサであって、バーコード読取および復号動作用に構成され、前記バーコード読取および復号動作が、
前記スマートウォッチ上でビューファインダを起動し、
前記ビューファインダ内でバーコードを位置合わせし、
前記ビューファインダ内で位置合わせされた前記バーコードの画像を前記カメラで撮影し、
前記バーコード画像を前記バーコード復号ソフトウェアに入力し、
復号されたバーコード情報を前記視覚ディスプレイへ送信する
ように構成されるプロセッサと
を備えるスマートウォッチ。
【請求項２】
無線通信システムをさらに備え、前記プロセッサが前記無線通信システムに通信可能に接続される、請求項１に記載のスマートウォッチ。
【請求項３】
前記プロセッサが、
前記バーコード画像を遠隔電子デバイスに入力し、
復号されたバーコード情報を前記遠隔電子デバイスから受信する
ようにさらに構成される、請求項２に記載のスマートウォッチ。
【請求項４】
前記プロセッサが、遠隔電子デバイスとのＲＦ接続を介してデータを共有し受信するようにさらに構成される、請求項３に記載のスマートウォッチ。
【請求項５】
オペレーティングシステムをさらに備え、前記プロセッサが前記オペレーティングシステム内のアプリケーションである、請求項１に記載のスマートウォッチ。
【請求項６】
前記バーコード復号ソフトウェアが、異なる種類のバーコードシンボル体系および光学式文字認識テキストを識別可能である、請求項１に記載のスマートウォッチ。
【請求項７】
ウェアラブルデバイスでバーコードを撮像し復号するための方法であって、
ビューファインダを表示するようにウェアラブルデバイスをトリガするステップと、
前記ビューファインダ内でバーコードを位置合わせするステップと、
前記バーコードの画像を前記ウェアラブルデバイスのカメラで撮影するステップと、
前記バーコード画像のカメラフレームをバーコード復号ソフトウェアに入力するステップと、
前記バーコードを復号するステップと、
復号されたバーコード情報をウェアラブルデバイスディスプレイへ送信するステップと、
前記復号されたバーコード情報を前記ウェアラブルデバイスディスプレイに表示するステップと
を備える、方法。
【請求項８】
前記ウェアラブルデバイスがスマートウォッチである、請求項７に記載の方法。
【請求項９】
前記入力するステップが、前記バーコード復号ソフトウェアを有する遠隔デバイスへ前記バーコード画像を送信するステップを含む、請求項７に記載の方法。
【請求項１０】
前記バーコード復号ソフトウェアが前記ウェアラブルデバイスに常駐する、請求項７に記載の方法。
【請求項１１】
前記トリガするステップが、前記ウェアラブルデバイスの着用者による物理的行為により実現され、前記物理的行為が、音声コマンド、前記ウェアラブルデバイスディスプレイ上のスタイラス(stylus)のスワイプ(swiping)動作、ディスプレイタッチ、タッチジェスチャ(touch gesture)、および前記ウェアラブルデバイスの物理的運動から選択される、請求項７に記載の方法。
【請求項１２】
前記トリガするステップが、遠隔デバイスから前記ウェアラブルデバイスへの信号により実現される、請求項７に記載の方法。
【請求項１３】
前記送信するステップが、前記復号されたバーコード情報を遠隔電子デバイスに送信して表示させるステップをさらに含む、請求項７に記載の方法。
【請求項１４】
前記送信するステップが、前記復号されたバーコード情報を遠隔デバイスに送信するステップをさらに含む、請求項７に記載の方法。
【請求項１５】
前記バーコードの復号に成功したことを、前記ウェアラブルデバイスの着用者に通知するステップをさらに備え、前記通知するステップが、前記ウェアラブルデバイスからの可聴信号、前記ウェアラブルデバイスの前記ディスプレイ上の視覚信号、前記ウェアラブルデバイスからの触覚(haptic)応答および遠隔デバイスからの可聴信号から選択される標識により実現され、前記遠隔デバイスがＲＦ接続を介して前記ウェアラブルデバイスに接続される、請求項７に記載の方法。
【発明の詳細な説明】
【技術分野】
【０００１】
[0001]本発明は、バーコード読取および復号機能を有するウェアラブルデバイス、ならびにウェアラブルデバイスプラットフォームにおけるバーコード読取方法およびシステムに関する。
【背景技術】
【０００２】
[0002]一般的に、スマートウォッチは内蔵カメラを含む。スマートウォッチからのカメラ画像を用いるためのアプリケーションの多くは、ソーシャルメディアに関連する。スマートウォッチは、異なるオペレーティングシステム（たとえばＡＮＤＲＯＩＤ（商標）、ｉＯＳ（商標）、ＷＩＮＤＯＷＳ−ＰＨＯＮＥ（商標）など）を採用することができる。プロセッサおよび無線接続機能と併用されるこれらのオペレーティングシステムは、発明的なアプリケーションによってそれらの最大の潜在能力まで利用されていなかった。
【０００３】
[0003]バーコード読取／復号は、バーコード専用機器により行われることが多い。より最近では、スマートフォンおよびタブレットは、いくつかの種類のバーコードを読み取り可能となっている。たとえば、スマートフォンは、ブラウザをウェブサイトへ導くＱＲコード（登録商標）を読み取ることができる。
【発明の概要】
【発明が解決しようとする課題】
【０００４】
[0004]しかしながら、より嵩張らないデバイスで直感的にバーコードを簡単に読み取り、復号し、表示する機能は、依然として達成できていない。
[0005]したがって、嵩張らず、使用が直感的であり、ウェアラブルデバイスに常駐し、より大きなシステムと通信可能であるかまたはその一部となり得るバーコード読取システムが求められている。
【課題を解決するための手段】
【０００５】
[0006]したがって、一態様では、本発明は、バーコード復号ソフトウェアと協力して動作する内蔵カメラ付きスマートウォッチを包含する。
[0007]他の態様では、本発明は、ウェアラブルデバイスによってバーコードを撮像し、復号し、表示するための方法を包含する。
【０００６】
[0008]さらに他の態様では、本発明は、ウェアラブルデバイスに常駐するバーコード読取システムを包含する。
[0009]一例示的実施形態では、本発明は、スマートウォッチであって、内蔵カメラと；バーコード復号ソフトウェアと；スマートウォッチ上に視覚ディスプレイ（ｖｉｓｕａｌ  ｄｉｓｐｌａｙ）を備えるユーザインターフェースシステムと；カメラと、ユーザインターフェースシステムと、バーコード復号ソフトウェアとに通信可能に接続されるプロセッサとを備える、スマートウォッチを備える。プロセッサは、バーコード読取および復号動作用に構成される。バーコード読取および復号動作は：スマートウォッチ上でビューファインダを起動し、ビューファインダ内でバーコードを位置合わせし；ビューファインダ内で位置合わせされたバーコードの画像をカメラで撮影し、バーコード画像をバーコード復号ソフトウェアに入力し；復号されたバーコード情報を視覚ディスプレイへ送信するように構成される。
【０００７】
[0010]他の態様では、スマートウォッチは、無線通信システムを備える。プロセッサは、無線通信システムに通信可能に接続される。
[0011]他の態様では、プロセッサは、バーコード画像を遠隔電子デバイスに入力し、復号されたバーコード情報を遠隔電子デバイスから受信するようにさらに構成される。
【０００８】
[0012]さらなる態様では、プロセッサは、遠隔電子デバイスとのＲＦ接続を介してデータを共有し受信するように構成される。
[0013]さらに他の態様では、スマートウォッチは、オペレーティングシステムを有する。プロセッサは、オペレーティングシステム内のアプリケーションである。
【０００９】
[0014]他の態様では、バーコード復号ソフトウェアは、異なる種類のバーコードシンボル体系および光学式文字認識テキストを識別可能である。
[0015]他の例示的実施形態では、本発明は、ウェアラブルデバイスでバーコードを撮像し復号するための方法を備える。方法は：ビューファインダを表示するようにウェアラブルデバイスをトリガするステップと；ビューファインダ内でバーコードを位置合わせするステップと；バーコードの画像をウェアラブルデバイスのカメラで撮影するステップと；バーコード画像のカメラフレームをバーコード復号ソフトウェアに入力するステップと；バーコードを復号するステップと；復号されたバーコード情報をウェアラブルデバイスディスプレイへ送信するステップと；復号されたバーコード情報をウェアラブルデバイスディスプレイに表示するステップとを備える。
【００１０】
[0016]他の態様では、ウェアラブルデバイスはスマートウォッチである。
[0017]他の態様では、入力するステップは、バーコード復号ソフトウェアを有する遠隔デバイスへバーコード画像を送信するステップを含む。
【００１１】
[0018]さらに他の態様では、バーコード復号ソフトウェアは、ウェアラブルデバイスに常駐する。
[0019]他の態様では、トリガするステップは、ウェアラブルデバイスの着用者による物理的行為により実現される。ディスプレイをトリガする物理的行為は、音声コマンド、ウェアラブルデバイスディスプレイ上のスタイラスのスワイプ動作、ディスプレイタッチ、タッチジェスチャ、およびウェアラブルデバイスの物理的運動を含むことができる。
【００１２】
[0020]他の態様では、トリガするステップは、遠隔デバイスからウェアラブルデバイスへの信号により実現される。
[0021]他の態様では、送信するステップは、復号されたバーコード情報を遠隔電子デバイスに送信して表示させるステップをさらに含む。
【００１３】
[0022]他の態様では、送信するステップは、復号されたバーコード情報を遠隔デバイスに送信するステップをさらに含み、復号されたバーコード情報は、ビジネスロジックのために用いられるが、必ずしも表示はされない。
【００１４】
[0023]他の態様では、方法は：バーコードの復号に成功したことを、ウェアラブルデバイスの着用者に通知するステップをさらに備える。通知するステップは、標識（ｉｎｄｉｃａｔｏｒ）により実現される。標識は、ウェアラブルデバイスからの可聴信号、ウェアラブルデバイスのディスプレイ上の視覚信号、ウェアラブルデバイスからの触覚応答および遠隔デバイスからの可聴信号を含むことができる。遠隔デバイスは、ＲＦ接続を介してウェアラブルデバイスに接続される。
【００１５】
[0024]さらに他の例示的実施形態では、本発明は、内蔵カメラと、ユーザインターフェース視覚ディスプレイと、ユーザインターフェースおよび内蔵カメラを通信可能に接続するオペレーティングシステムとを備える、スマートウォッチを含むバーコード読取システムを提供する。バーコード読取システムは、復号ソフトウェアをさらに含む。復号ソフトウェアは、オペレーティングシステムに通信可能に接続される。オペレーティングシステムは、（ｉ）スマートウォッチ視覚ディスプレイ上でビューファインダを起動し、（ｉｉ）ビューファインダ内でバーコードを位置合わせし；（ｉｉｉ）ビューファインダ内で位置合わせされたバーコードの画像をカメラで撮影し、（ｉｖ）バーコード画像を復号ソフトウェアに入力し；（ｖ）復号されたバーコード情報を視覚ディスプレイへ送信するように構成される。
【００１６】
[0025]本発明のバーコード読取システムの他の態様では、復号ソフトウェアは、スマートウォッチに常駐する。
[0026]他の態様では、復号ソフトウェアは、遠隔電子デバイス上に存在する。
【００１７】
[0027]さらに他の態様では、復号ソフトウェアは、異なる種類のバーコードシンボル体系および光学式文字認識テキストを識別可能である。
[0028]他の態様では、ビューファインダの起動は、スマートフォンの装着者による物理的行為によって初期化される。物理的行為は、音声コマンド、スマートウォッチ視覚ディスプレイ上のスタイラスのスワイプ動作、ディスプレイタッチ、タッチジェスチャ、およびウェアラブルデバイスの物理的運動を含むことができる。
【００１８】
[0029]他の態様では、オペレーティングシステムは、少なくとも１つの遠隔電子デバイスとＲＦ信号によって通信可能に接続される。
[0030]他の態様では、ビューファインダの起動は、遠隔デバイスからスマートウォッチのオペレーティングシステムへの信号により初期化される。
【００１９】
[0031]前述の例示的な概要、ならびに本発明の他の例示的な目的および／または利点、およびこれが実現される方法を、以下の詳細な説明および添付の図面においてさらに説明する。
【図面の簡単な説明】
【００２０】
【図１】[0032]本発明によるスマートウォッチのブロック図である。
【図２】[0033]本発明によるウェアラブルデバイスにおけるバーコード撮像および復号方法のフローチャートである。
【発明を実施するための形態】
【００２１】
[0034]本発明は、バーコードを撮像し、復号し、表示するためのウェアラブルデバイス、方法、およびシステムを包含する。
[0035]本発明の好ましい実施形態が示される添付の図面を参照して、本発明を以下でより完全に説明することにする。しかしながら、本発明は、多数の異なる形で具体化することができ、本明細書に記載の実施形態に限定されるよう解釈されるべきではない。図面において、同様の番号は、全体を通して同様の要素を指す。
【００２２】
[0036]図１を参照すると、本発明の一例示的実施形態では、スマートウォッチ１０は、内蔵カメラ１１、視覚ディスプレイを含むユーザインターフェース１２、バーコード復号ソフトウェア１３、およびプロセッサ１４を備える。プロセッサ１４は、カメラ１１、ユーザインターフェース１２、およびバーコード復号ソフトウェア１３を通信可能に接続する。プロセッサ１４は、スマートウォッチ１０のオペレーティングシステム（図示せず）内のアプリケーションとすることができる。スマートウォッチ１０は、プロセッサ１４が他のコンポーネントに通信可能に接続されるよう補助するシステムバス１５を備えることができる。他のインターフェース回路およびコンポーネント、たとえばメモリ（図示せず）などが存在してもよい。スマートウォッチ１０は、無線通信システム１６をさらに備えることができる。プロセッサ１４は、無線通信システム１６に通信可能に接続される。プロセッサ１４は、バーコードを読取または撮像し、復号する方法のために構成されている。プロセッサ１４は、視覚ディスプレイ上にビューファインダを初期化するようにユーザインターフェース１２をトリガするよう構成される。そして、スマートウォッチ１０の着用者は、視覚ディスプレイ１２内でバーコードを位置合わせする。カメラ１１は、バーコードの画像を撮影する。これらの画像は、バーコード復号ソフトウェア１３に送信される。バーコード復号ソフトウェア１３は、スマートウォッチ１０に常駐するように図示されている。しかしながら、バーコード復号ソフトウェア１３は、スマートウォッチ１０に常駐する代わりに、またはこれに加えて、遠隔電子デバイス（図示せず）に存在してもよい。バーコード復号ソフトウェア１３が遠隔電子デバイスに存在する場合、プロセッサ１４は、バーコード画像が遠隔のバーコード復号ソフトウェアに送信され、復号されたバーコード情報がスマートウォッチ１０で受信され、ユーザインターフェース１２に表示されるように、無線通信システム１６を介して情報を送信および受信するように構成される。
【００２３】
[0037]図２を参照すると、本発明の他の例示的実施形態では、ウェアラブルデバイスによりバーコードを撮像し復号するための方法２０が提供される。ウェアラブルデバイスは、スマートウォッチ、たとえば図１のスマートウォッチ１０であることが好ましい。方法２０はステップ２１から開始して、ビューファインダを表示するようにスマートウォッチをトリガする。トリガするステップは、スマートウォッチ着用者の物理的行為により実現されてもよい。たとえば、スマートウォッチ着用者は、音声コマンドを与える、スマートウォッチディスプレイ上でスタイラスを用いてスワイプ動作を行う、ディスプレイをタッチする、タッチジェスチャを行う、またはスマートウォッチの物理的運動を行う、たとえばスマートウォッチを振るなどすることができる。代わりに、トリガするステップ２１は、遠隔電子デバイスからスマートウォッチへの信号により初期化されてもよい。
【００２４】
[0038]ビューファインダが表示された後、ステップ２２において、スマートウォッチの着用者は、バーコードを、ビューファインダ内で読み込まれるように位置合わせする。ステップ２３において、バーコードの画像が撮影される。当技術分野で知られているように、スマートウォッチのカメラは、フォーカスおよびズーム機能を備えている。ステップ２４において、バーコードのカメラフレームは、スマートウォッチおよび／または遠隔電子デバイスに常駐し得るバーコード復号ソフトウェアに送信される。ステップ２５において、バーコードは復号される。ステップ２６において、復号されたバーコード情報は、スマートウォッチ視覚ディスプレイに送信される。ステップ２６の代わりに、またはこれに加えて、ステップ２７において、復号されたバーコード情報は、遠隔電子デバイスに送信されて、表示されるか、メモリに格納されるか、またはビジネスロジックアプリケーションのような何らかの他の目的に用いられ得る。遠隔電子デバイスは、たとえば、スマートフォンまたはラップトップコンピュータ、あるいは任意の無線対応デバイスであってよい。
【００２５】
[0039]ステップ２８において、復号されたバーコード情報は、スマートウォッチの視覚ディスプレイに表示される。ステップ２９において、スマートウォッチは、バーコードの復号に成功したことを着用者に通知する。この通知は、視覚標識または音声標識の形とすることができ、たとえば標識は、スマートウォッチディスプレイからの視覚信号、スマートウォッチからの音声信号、スマートウォッチからの触覚応答、または遠隔デバイスからの可聴信号にさえすることができる。
【００２６】
[0040]本開示を補完するために、本出願は、以下の同一出願人による（ｃｏｍｍｏｎｌｙ  ａｓｓｉｇｎｅｄ）特許、特許出願公開、および特許出願を、引用によりその全体を組み込む：
米国特許Ｎｏ．６，８３２，７２５；米国特許Ｎｏ．７，１２８，２６６；
米国特許Ｎｏ．７，１５９，７８３；米国特許Ｎｏ．７，４１３，１２７；
米国特許Ｎｏ．７，７２６，５７５；米国特許Ｎｏ．８，２９４，９６９；
米国特許Ｎｏ．８，３１７，１０５；米国特許Ｎｏ．８，３２２，６２２；
米国特許Ｎｏ．８，３６６，００５；米国特許Ｎｏ．８，３７１，５０７；
米国特許Ｎｏ．８，３７６，２３３；米国特許Ｎｏ．８，３８１，９７９；
米国特許Ｎｏ．８，３９０，９０９；米国特許Ｎｏ．８，４０８，４６４；
米国特許Ｎｏ．８，４０８，４６８；米国特許Ｎｏ．８，４０８，４６９；
米国特許Ｎｏ．８，４２４，７６８；米国特許Ｎｏ．８，４４８，８６３；
米国特許Ｎｏ．８，４５７，０１３；米国特許Ｎｏ．８，４５９，５５７；
米国特許Ｎｏ．８，４６９，２７２；米国特許Ｎｏ．８，４７４，７１２；
米国特許Ｎｏ．８，４７９，９９２；米国特許Ｎｏ．８，４９０，８７７；
米国特許Ｎｏ．８，５１７，２７１；米国特許Ｎｏ．８，５２３，０７６；
米国特許Ｎｏ．８，５２８，８１８；米国特許Ｎｏ．８，５４４，７３７；
米国特許Ｎｏ．８，５４８，２４２；米国特許Ｎｏ．８，５４８，４２０；
米国特許Ｎｏ．８，５５０，３３５；米国特許Ｎｏ．８，５５０，３５４；
米国特許Ｎｏ．８，５５０，３５７；米国特許Ｎｏ．８，５５６，１７４；
米国特許Ｎｏ．８，５５６，１７６；米国特許Ｎｏ．８，５５６，１７７；
米国特許Ｎｏ．８，５５９，７６７；米国特許Ｎｏ．８，５９９，９５７；
米国特許Ｎｏ．８，５６１，８９５；米国特許Ｎｏ．８，５６１，９０３；
米国特許Ｎｏ．８，５６１，９０５；米国特許Ｎｏ．８，５６５，１０７；
米国特許Ｎｏ．８，５７１，３０７；米国特許Ｎｏ．８，５７９，２００；
米国特許Ｎｏ．８，５８３，９２４；米国特許Ｎｏ．８，５８４，９４５；
米国特許Ｎｏ．８，５８７，５９５；米国特許Ｎｏ．８，５８７，６９７；
米国特許Ｎｏ．８，５８８，８６９；米国特許Ｎｏ．８，５９０，７８９；
米国特許Ｎｏ．８，５９６，５３９；米国特許Ｎｏ．８，５９６，５４２；
米国特許Ｎｏ．８，５９６，５４３；米国特許Ｎｏ．８，５９９，２７１；
米国特許Ｎｏ．８，５９９，９５７；米国特許Ｎｏ．８，６００，１５８；
米国特許Ｎｏ．８，６００，１６７；米国特許Ｎｏ．８，６０２，３０９；
米国特許Ｎｏ．８，６０８，０５３；米国特許Ｎｏ．８，６０８，０７１；
米国特許Ｎｏ．８，６１１，３０９；米国特許Ｎｏ．８，６１５，４８７；
米国特許Ｎｏ．８，６１６，４５４；米国特許Ｎｏ．８，６２１，１２３；
米国特許Ｎｏ．８，６２２，３０３；米国特許Ｎｏ．８，６２８，０１３；
米国特許Ｎｏ．８，６２８，０１５；米国特許Ｎｏ．８，６２８，０１６；
米国特許Ｎｏ．８，６２９，９２６；米国特許Ｎｏ．８，６３０，４９１；
米国特許Ｎｏ．８，６３５，３０９；米国特許Ｎｏ．８，６３６，２００；
米国特許Ｎｏ．８，６３６，２１２；米国特許Ｎｏ．８，６３６，２１５；
米国特許Ｎｏ．８，６３６，２２４；米国特許Ｎｏ．８，６３８，８０６；
米国特許Ｎｏ．８，６４０，９５８；米国特許Ｎｏ．８，６４０，９６０；
米国特許Ｎｏ．８，６４３，７１７；米国特許Ｎｏ．８，６４６，６９２；
米国特許Ｎｏ．８，６４６，６９４；米国特許Ｎｏ．８，６５７，２００；
米国特許Ｎｏ．８，６５９，３９７；米国特許Ｎｏ．８，６６８，１４９；
米国特許Ｎｏ．８，６７８，２８５；米国特許Ｎｏ．８，６７８，２８６；
米国特許Ｎｏ．８，６８２，０７７；米国特許Ｎｏ．８，６８７，２８２；
米国特許Ｎｏ．８，６９２，９２７；米国特許Ｎｏ．８，６９５，８８０；
米国特許Ｎｏ．８，６９８，９４９；米国特許Ｎｏ．８，７１７，４９４；
米国特許Ｎｏ．８，７１７，４９４；米国特許Ｎｏ．８，７２０，７８３；
米国特許Ｎｏ．８，７２３，８０４；米国特許Ｎｏ．８，７２３，９０４；
米国特許Ｎｏ．８，７２７，２２３；米国特許Ｎｏ．Ｄ７０２，２３７；
米国特許Ｎｏ．８，７４０，０８２；米国特許Ｎｏ．８，７４０，０８５；
米国特許Ｎｏ．８，７４６，５６３；米国特許Ｎｏ．８，７５０，４４５；
米国特許Ｎｏ．８，７５２，７６６；米国特許Ｎｏ．８，７５６，０５９；
米国特許Ｎｏ．８，７５７，４９５；米国特許Ｎｏ．８，７６０，５６３；
米国特許Ｎｏ．８，７６３，９０９；米国特許Ｎｏ．８，７７７，１０８；
米国特許Ｎｏ．８，７７７，１０９；米国特許Ｎｏ．８，７７９，８９８；
米国特許Ｎｏ．８，７８１，５２０；米国特許Ｎｏ．８，７８３，５７３；
米国特許Ｎｏ．８，７８９，７５７；米国特許Ｎｏ．８，７８９，７５８；
米国特許Ｎｏ．８，７８９，７５９；米国特許Ｎｏ．８，７９４，５２０；
米国特許Ｎｏ．８，７９４，５２２；米国特許Ｎｏ．８，７９４，５２６；
米国特許Ｎｏ．８，７９８，３６７；米国特許Ｎｏ．８，８０７，４３１；
米国特許Ｎｏ．８，８０７，４３２；米国特許Ｎｏ．８，８２０，６３０；
Ｉｎｔｅｒｎａｔｉｏｎａｌ  Ｐｕｂｌｉｃａｔｉｏｎ  Ｎｏ．２０１３／１６３７８９；
Ｉｎｔｅｒｎａｔｉｏｎａｌ  Ｐｕｂｌｉｃａｔｉｏｎ  Ｎｏ．２０１３／１７３９８５；
Ｉｎｔｅｒｎａｔｉｏｎａｌ  Ｐｕｂｌｉｃａｔｉｏｎ  Ｎｏ．２０１４／０１９１３０；
Ｉｎｔｅｒｎａｔｉｏｎａｌ  Ｐｕｂｌｉｃａｔｉｏｎ  Ｎｏ．２０１４／１１０４９５；
米国特許出願公開Ｎｏ．２００８／０１８５４３２；
米国特許出願公開Ｎｏ．２００９／０１３４２２１；
米国特許出願公開Ｎｏ．２０１０／０１７７０８０；
米国特許出願公開Ｎｏ．２０１０／０１７７０７６；
米国特許出願公開Ｎｏ．２０１０／０１７７７０７；
米国特許出願公開Ｎｏ．２０１０／０１７７７４９；
米国特許出願公開Ｎｏ．２０１１／０２０２５５４；
米国特許出願公開Ｎｏ．２０１２／０１１１９４６；
米国特許出願公開Ｎｏ．２０１２／０１３８６８５；
米国特許出願公開Ｎｏ．２０１２／０１６８５１１；
米国特許出願公開Ｎｏ．２０１２／０１６８５１２；
米国特許出願公開Ｎｏ．２０１２／０１９３４２３；
米国特許出願公開Ｎｏ．２０１２／０２０３６４７；
米国特許出願公開Ｎｏ．２０１２／０２２３１４１；
米国特許出願公開Ｎｏ．２０１２／０２２８３８２；
米国特許出願公開Ｎｏ．２０１２／０２４８１８８；
米国特許出願公開Ｎｏ．２０１３／００４３３１２；
米国特許出願公開Ｎｏ．２０１３／００５６２８５；
米国特許出願公開Ｎｏ．２０１３／００７０３２２；
米国特許出願公開Ｎｏ．２０１３／００７５１６８；
米国特許出願公開Ｎｏ．２０１３／００８２１０４；
米国特許出願公開Ｎｏ．２０１３／０１７５３４１；
米国特許出願公開Ｎｏ．２０１３／０１７５３４３；
米国特許出願公開Ｎｏ．２０１３／０２００１５８；
米国特許出願公開Ｎｏ．２０１３／０２５６４１８；
米国特許出願公開Ｎｏ．２０１３／０２５７７４４；
米国特許出願公開Ｎｏ．２０１３／０２５７７５９；
米国特許出願公開Ｎｏ．２０１３／０２７０３４６；
米国特許出願公開Ｎｏ．２０１３／０２７８４２５；
米国特許出願公開Ｎｏ．２０１３／０２８７２５８；
米国特許出願公開Ｎｏ．２０１３／０２９２４７５；
米国特許出願公開Ｎｏ．２０１３／０２９２４７７；
米国特許出願公開Ｎｏ．２０１３／０２９３５３９；
米国特許出願公開Ｎｏ．２０１３／０２９３５４０；
米国特許出願公開Ｎｏ．２０１３／０３０６７２８；
米国特許出願公開Ｎｏ．２０１３／０３０６７３０；
米国特許出願公開Ｎｏ．２０１３／０３０６７３１；
米国特許出願公開Ｎｏ．２０１３／０３０７９６４；
米国特許出願公開Ｎｏ．２０１３／０３０８６２５；
米国特許出願公開Ｎｏ．２０１３／０３１３３２４；
米国特許出願公開Ｎｏ．２０１３／０３１３３２５；
米国特許出願公開Ｎｏ．２０１３／０３４１３９９；
米国特許出願公開Ｎｏ．２０１３／０３４２７１７；
米国特許出願公開Ｎｏ．２０１４／０００１２６７；
米国特許出願公開Ｎｏ．２０１４／０００２８２８；
米国特許出願公開Ｎｏ．２０１４／０００８４３０；
米国特許出願公開Ｎｏ．２０１４／０００８４３９；
米国特許出願公開Ｎｏ．２０１４／００２５５８４；
米国特許出願公開Ｎｏ．２０１４／００２７５１８；
米国特許出願公開Ｎｏ．２０１４／００３４７３４；
米国特許出願公開Ｎｏ．２０１４／００３６８４８；
米国特許出願公開Ｎｏ．２０１４／００３９６９３；
米国特許出願公開Ｎｏ．２０１４／００４２８１４；
米国特許出願公開Ｎｏ．２０１４／００４９１２０；
米国特許出願公開Ｎｏ．２０１４／００４９６３５；
米国特許出願公開Ｎｏ．２０１４／００６１３０５；
米国特許出願公開Ｎｏ．２０１４／００６１３０６；
米国特許出願公開Ｎｏ．２０１４／００６３２８９；
米国特許出願公開Ｎｏ．２０１４／００６６１３６；
米国特許出願公開Ｎｏ．２０１４／００６７６９２；
米国特許出願公開Ｎｏ．２０１４／００７０００５；
米国特許出願公開Ｎｏ．２０１４／００７１８４０；
米国特許出願公開Ｎｏ．２０１４／００７４７４６；
米国特許出願公開Ｎｏ．２０１４／００７５８４６；
米国特許出願公開Ｎｏ．２０１４／００７６９７４；
米国特許出願公開Ｎｏ．２０１４／００７８３４１；
米国特許出願公開Ｎｏ．２０１４／００７８３４２；
米国特許出願公開Ｎｏ．２０１４／００７８３４５；
米国特許出願公開Ｎｏ．２０１４／００８４０６８；
米国特許出願公開Ｎｏ．２０１４／００９７２４９；
米国特許出願公開Ｎｏ．２０１４／００９８７９２；
米国特許出願公開Ｎｏ．２０１４／０１００７７４；
米国特許出願公開Ｎｏ．２０１４／０１００８１３；
米国特許出願公開Ｎｏ．２０１４／０１０３１１５；
米国特許出願公開Ｎｏ．２０１４／０１０４４１３；
米国特許出願公開Ｎｏ．２０１４／０１０４４１４；
米国特許出願公開Ｎｏ．２０１４／０１０４４１６；
米国特許出願公開Ｎｏ．２０１４／０１０４４５１；
米国特許出願公開Ｎｏ．２０１４／０１０６５９４；
米国特許出願公開Ｎｏ．２０１４／０１０６７２５；
米国特許出願公開Ｎｏ．２０１４／０１０８０１０；
米国特許出願公開Ｎｏ．２０１４／０１０８４０２；
米国特許出願公開Ｎｏ．２０１４／０１０８６８２；
米国特許出願公開Ｎｏ．２０１４／０１１０４８５；
米国特許出願公開Ｎｏ．２０１４／０１１４５３０；
米国特許出願公開Ｎｏ．２０１４／０１２４５７７；
米国特許出願公開Ｎｏ．２０１４／０１２４５７９；
米国特許出願公開Ｎｏ．２０１４／０１２５８４２；
米国特許出願公開Ｎｏ．２０１４／０１２５８５３；
米国特許出願公開Ｎｏ．２０１４／０１２５９９９；
米国特許出願公開Ｎｏ．２０１４／０１２９３７８；
米国特許出願公開Ｎｏ．２０１４／０１３１４３８；
米国特許出願公開Ｎｏ．２０１４／０１３１４４１；
米国特許出願公開Ｎｏ．２０１４／０１３１４４３；
米国特許出願公開Ｎｏ．２０１４／０１３１４４４；
米国特許出願公開Ｎｏ．２０１４／０１３１４４５；
米国特許出願公開Ｎｏ．２０１４／０１３１４４８；
米国特許出願公開Ｎｏ．２０１４／０１３３３７９；
米国特許出願公開Ｎｏ．２０１４／０１３６２０８；
米国特許出願公開Ｎｏ．２０１４／０１４０５８５；
米国特許出願公開Ｎｏ．２０１４／０１５１４５３；
米国特許出願公開Ｎｏ．２０１４／０１５２８８２；
米国特許出願公開Ｎｏ．２０１４／０１５８７７０；
米国特許出願公開Ｎｏ．２０１４／０１５９８６９；
米国特許出願公開Ｎｏ．２０１４／０１６０３２９；
米国特許出願公開Ｎｏ．２０１４／０１６６７５５；
米国特許出願公開Ｎｏ．２０１４／０１６６７５７；
米国特許出願公開Ｎｏ．２０１４／０１６６７５９；
米国特許出願公開Ｎｏ．２０１４／０１６６７６０；
米国特許出願公開Ｎｏ．２０１４／０１６６７６１；
米国特許出願公開Ｎｏ．２０１４／０１６８７８７；
米国特許出願公開Ｎｏ．２０１４／０１７５１６５；
米国特許出願公開Ｎｏ．２０１４／０１７５１６９；
米国特許出願公開Ｎｏ．２０１４／０１７５１７２；
米国特許出願公開Ｎｏ．２０１４／０１７５１７４；
米国特許出願公開Ｎｏ．２０１４／０１９１６４４；
米国特許出願公開Ｎｏ．２０１４／０１９１９１３；
米国特許出願公開Ｎｏ．２０１４／０１９７２３８；
米国特許出願公開Ｎｏ．２０１４／０１９７２３９；
米国特許出願公開Ｎｏ．２０１４／０１９７３０４；
米国特許出願公開Ｎｏ．２０１４／０２０３０８７；
米国特許出願公開Ｎｏ．２０１４／０２０４２６８；
米国特許出願公開Ｎｏ．２０１４／０２１４６３１；
米国特許出願公開Ｎｏ．２０１４／０２１７１６６；
米国特許出願公開Ｎｏ．２０１４／０２１７１８０；
米国特許出願Ｎｏ．１３／３６７，９７８  ｆｏｒ  ａ  Ｌａｓｅｒ  Ｓｃａｎｎｉｎｇ  Ｍｏｄｕｌｅ  Ｅｍｐｌｏｙｉｎｇ  ａｎ  Ｅｌａｓｔｏｍｅｒｉｃ  Ｕ−Ｈｉｎｇｅ  Ｂａｓｅｄ  Ｌａｓｅｒ  Ｓｃａｎｎｉｎｇ  Ａｓｓｅｍｂｌｙ，  ｆｉｌｅｄ  Ｆｅｂｒｕａｒｙ  ７，  ２０１２  （Ｆｅｎｇ  ｅｔ  ａｌ．）；
米国特許出願Ｎｏ．２９／４３６，３３７  ｆｏｒ  ａｎ  Ｅｌｅｃｔｒｏｎｉｃ  Ｄｅｖｉｃｅ，  ｆｉｌｅｄ  Ｎｏｖｅｍｂｅｒ  ５，  ２０１２  （Ｆｉｔｃｈ  ｅｔ  ａｌ．）；
米国特許出願Ｎｏ．１３／７７１，５０８  ｆｏｒ  ａｎ  Ｏｐｔｉｃａｌ  Ｒｅｄｉｒｅｃｔｉｏｎ  Ａｄａｐｔｅｒ，  ｆｉｌｅｄ  Ｆｅｂｒｕａｒｙ  ２０，  ２０１３  （Ａｎｄｅｒｓｏｎ）；
米国特許出願Ｎｏ．１３／８５２，０９７  ｆｏｒ  ａ  Ｓｙｓｔｅｍ  ａｎｄ  Ｍｅｔｈｏｄ  ｆｏｒ  Ｃａｐｔｕｒｉｎｇ  ａｎｄ  Ｐｒｅｓｅｒｖｉｎｇ  Ｖｅｈｉｃｌｅ  Ｅｖｅｎｔ  Ｄａｔａ，  ｆｉｌｅｄ  Ｍａｒｃｈ  ２８，  ２０１３  （Ｂａｒｋｅｒ  ｅｔ  ａｌ．）；
米国特許出願Ｎｏ．１３／９０２，１１０  ｆｏｒ  ａ  Ｓｙｓｔｅｍ  ａｎｄ  Ｍｅｔｈｏｄ  ｆｏｒ  Ｄｉｓｐｌａｙ  ｏｆ  Ｉｎｆｏｒｍａｔｉｏｎ  Ｕｓｉｎｇ  ａ  Ｖｅｈｉｃｌｅ−Ｍｏｕｎｔ  Ｃｏｍｐｕｔｅｒ，  ｆｉｌｅｄ  Ｍａｙ  ２４，  ２０１３  （Ｈｏｌｌｉｆｉｅｌｄ）；
米国特許出願Ｎｏ．１３／９０２，１４４，  ｆｏｒ  ａ  Ｓｙｓｔｅｍ  ａｎｄ  Ｍｅｔｈｏｄ  ｆｏｒ  Ｄｉｓｐｌａｙ  ｏｆ  Ｉｎｆｏｒｍａｔｉｏｎ  Ｕｓｉｎｇ  ａ  Ｖｅｈｉｃｌｅ−Ｍｏｕｎｔ  Ｃｏｍｐｕｔｅｒ，  ｆｉｌｅｄ  Ｍａｙ  ２４，  ２０１３  （Ｃｈａｍｂｅｒｌｉｎ）；
米国特許出願Ｎｏ．１３／９０２，２４２  ｆｏｒ  ａ  Ｓｙｓｔｅｍ  Ｆｏｒ  Ｐｒｏｖｉｄｉｎｇ  Ａ  Ｃｏｎｔｉｎｕｏｕｓ  Ｃｏｍｍｕｎｉｃａｔｉｏｎ  Ｌｉｎｋ  Ｗｉｔｈ  Ａ  Ｓｙｍｂｏｌ  Ｒｅａｄｉｎｇ  Ｄｅｖｉｃｅ，  ｆｉｌｅｄ  Ｍａｙ  ２４，  ２０１３  （Ｓｍｉｔｈ  ｅｔ  ａｌ．）；
米国特許出願Ｎｏ．１３／９１２，２６２  ｆｏｒ  ａ  Ｍｅｔｈｏｄ  ｏｆ  Ｅｒｒｏｒ  Ｃｏｒｒｅｃｔｉｏｎ  ｆｏｒ  ３Ｄ  Ｉｍａｇｉｎｇ  Ｄｅｖｉｃｅ，  ｆｉｌｅｄ  Ｊｕｎｅ  ７，  ２０１３  （Ｊｏｖａｎｏｖｓｋｉ  ｅｔ  ａｌ．）；
米国特許出願Ｎｏ．１３／９１２，７０２  ｆｏｒ  ａ  Ｓｙｓｔｅｍ  ａｎｄ  Ｍｅｔｈｏｄ  ｆｏｒ  Ｒｅａｄｉｎｇ  Ｃｏｄｅ  Ｓｙｍｂｏｌｓ  ａｔ  Ｌｏｎｇ  Ｒａｎｇｅ  Ｕｓｉｎｇ  Ｓｏｕｒｃｅ  Ｐｏｗｅｒ  Ｃｏｎｔｒｏｌ，  ｆｉｌｅｄ  Ｊｕｎｅ  ７，  ２０１３  （Ｘｉａｎ  ｅｔ  ａｌ．）；
米国特許出願Ｎｏ．２９／４５８，４０５  ｆｏｒ  ａｎ  Ｅｌｅｃｔｒｏｎｉｃ  Ｄｅｖｉｃｅ，  ｆｉｌｅｄ  Ｊｕｎｅ  １９，  ２０１３  （Ｆｉｔｃｈ  ｅｔ  ａｌ．）；
米国特許出願Ｎｏ．１３／９２２，３３９  ｆｏｒ  ａ  Ｓｙｓｔｅｍ  ａｎｄ  Ｍｅｔｈｏｄ  ｆｏｒ  Ｒｅａｄｉｎｇ  Ｃｏｄｅ  Ｓｙｍｂｏｌｓ  Ｕｓｉｎｇ  ａ  Ｖａｒｉａｂｌｅ  Ｆｉｅｌｄ  ｏｆ  Ｖｉｅｗ，  ｆｉｌｅｄ  Ｊｕｎｅ  ２０，  ２０１３  （Ｘｉａｎ  ｅｔ  ａｌ．）；
米国特許出願Ｎｏ．１３／９２７，３９８  ｆｏｒ  ａ  Ｃｏｄｅ  Ｓｙｍｂｏｌ  Ｒｅａｄｉｎｇ  Ｓｙｓｔｅｍ  Ｈａｖｉｎｇ  Ａｄａｐｔｉｖｅ  Ａｕｔｏｆｏｃｕｓ，  ｆｉｌｅｄ  Ｊｕｎｅ  ２６，  ２０１３  （Ｔｏｄｅｓｃｈｉｎｉ）；
米国特許出願Ｎｏ．１３／９３０，９１３  ｆｏｒ  ａ  Ｍｏｂｉｌｅ  Ｄｅｖｉｃｅ  Ｈａｖｉｎｇ  ａｎ  Ｉｍｐｒｏｖｅｄ  Ｕｓｅｒ  Ｉｎｔｅｒｆａｃｅ  ｆｏｒ  Ｒｅａｄｉｎｇ  Ｃｏｄｅ  Ｓｙｍｂｏｌｓ，  ｆｉｌｅｄ  Ｊｕｎｅ  ２８，  ２０１３  （Ｇｅｌａｙ  ｅｔ  ａｌ．）；
米国特許出願Ｎｏ．２９／４５９，６２０  ｆｏｒ  ａｎ  Ｅｌｅｃｔｒｏｎｉｃ  Ｄｅｖｉｃｅ  Ｅｎｃｌｏｓｕｒｅ，  ｆｉｌｅｄ  Ｊｕｌｙ  ２，  ２０１３  （Ｌｏｎｄｏｎ  ｅｔ  ａｌ．）；
米国特許出願Ｎｏ．２９／４５９，６８１  ｆｏｒ  ａｎ  Ｅｌｅｃｔｒｏｎｉｃ  Ｄｅｖｉｃｅ  Ｅｎｃｌｏｓｕｒｅ，  ｆｉｌｅｄ  Ｊｕｌｙ  ２，  ２０１３  （Ｃｈａｎｅｙ  ｅｔ  ａｌ．）；
米国特許出願Ｎｏ．１３／９３３，４１５  ｆｏｒ  ａｎ  Ｅｌｅｃｔｒｏｎｉｃ  Ｄｅｖｉｃｅ  Ｃａｓｅ，  ｆｉｌｅｄ  Ｊｕｌｙ  ２，  ２０１３  （Ｌｏｎｄｏｎ  ｅｔ  ａｌ．）；
米国特許出願Ｎｏ．２９／４５９，７８５  ｆｏｒ  ａ  Ｓｃａｎｎｅｒ  ａｎｄ  Ｃｈａｒｇｉｎｇ  Ｂａｓｅ，  ｆｉｌｅｄ  Ｊｕｌｙ  ３，  ２０１３  （Ｆｉｔｃｈ  ｅｔ  ａｌ．）；
米国特許出願Ｎｏ．２９／４５９，８２３  ｆｏｒ  ａ  Ｓｃａｎｎｅｒ，  ｆｉｌｅｄ  Ｊｕｌｙ  ３，  ２０１３  （Ｚｈｏｕ  ｅｔ  ａｌ．）；
米国特許出願Ｎｏ．１３／９４７，２９６  ｆｏｒ  ａ  Ｓｙｓｔｅｍ  ａｎｄ  Ｍｅｔｈｏｄ  ｆｏｒ  Ｓｅｌｅｃｔｉｖｅｌｙ  Ｒｅａｄｉｎｇ  Ｃｏｄｅ  Ｓｙｍｂｏｌｓ，  ｆｉｌｅｄ  Ｊｕｌｙ  ２２，  ２０１３  （Ｒｕｅｂｌｉｎｇｅｒ  ｅｔ  ａｌ．）；
米国特許出願Ｎｏ．１３／９５０，５４４  ｆｏｒ  ａ  Ｃｏｄｅ  Ｓｙｍｂｏｌ  Ｒｅａｄｉｎｇ  Ｓｙｓｔｅｍ  Ｈａｖｉｎｇ  Ａｄｊｕｓｔａｂｌｅ  Ｏｂｊｅｃｔ  Ｄｅｔｅｃｔｉｏｎ，  ｆｉｌｅｄ  Ｊｕｌｙ  ２５，  ２０１３  （Ｊｉａｎｇ）；
米国特許出願Ｎｏ．１３／９６１，４０８  ｆｏｒ  ａ  Ｍｅｔｈｏｄ  ｆｏｒ  Ｍａｎｕｆａｃｔｕｒｉｎｇ  Ｌａｓｅｒ  Ｓｃａｎｎｅｒｓ，  ｆｉｌｅｄ  Ａｕｇｕｓｔ  ７，  ２０１３  （Ｓａｂｅｒ  ｅｔ  ａｌ．）；
米国特許出願Ｎｏ．１４／０１８，７２９  ｆｏｒ  ａ  Ｍｅｔｈｏｄ  ｆｏｒ  Ｏｐｅｒａｔｉｎｇ  ａ  Ｌａｓｅｒ  Ｓｃａｎｎｅｒ，  ｆｉｌｅｄ  Ｓｅｐｔｅｍｂｅｒ  ５，  ２０１３  （Ｆｅｎｇ  ｅｔ  ａｌ．）；
米国特許出願Ｎｏ．１４／０１９，６１６  ｆｏｒ  ａ  Ｄｅｖｉｃｅ  Ｈａｖｉｎｇ  Ｌｉｇｈｔ  Ｓｏｕｒｃｅ  ｔｏ  Ｒｅｄｕｃｅ  Ｓｕｒｆａｃｅ  Ｐａｔｈｏｇｅｎｓ，  ｆｉｌｅｄ  Ｓｅｐｔｅｍｂｅｒ  ６，  ２０１３  （Ｔｏｄｅｓｃｈｉｎｉ）；
米国特許出願Ｎｏ．１４／０２３，７６２  ｆｏｒ  ａ  Ｈａｎｄｈｅｌｄ  Ｉｎｄｉｃｉａ  Ｒｅａｄｅｒ  Ｈａｖｉｎｇ  Ｌｏｃｋｉｎｇ  Ｅｎｄｃａｐ，  ｆｉｌｅｄ  Ｓｅｐｔｅｍｂｅｒ  １１，  ２０１３  （Ｇａｎｎｏｎ）；
米国特許出願Ｎｏ．１４／０３５，４７４  ｆｏｒ  Ａｕｇｍｅｎｔｅｄ−Ｒｅａｌｉｔｙ  Ｓｉｇｎａｔｕｒｅ  Ｃａｐｔｕｒｅ，  ｆｉｌｅｄ  Ｓｅｐｔｅｍｂｅｒ  ２４，  ２０１３  （Ｔｏｄｅｓｃｈｉｎｉ）；
米国特許出願Ｎｏ．２９／４６８，１１８  ｆｏｒ  ａｎ  Ｅｌｅｃｔｒｏｎｉｃ  Ｄｅｖｉｃｅ  Ｃａｓｅ，  ｆｉｌｅｄ  Ｓｅｐｔｅｍｂｅｒ  ２６，  ２０１３  （Ｏｂｅｒｐｒｉｌｌｅｒ  ｅｔ  ａｌ．）；
米国特許出願Ｎｏ．１４／０５５，２３４  ｆｏｒ  Ｄｉｍｅｎｓｉｏｎｉｎｇ  Ｓｙｓｔｅｍ，  ｆｉｌｅｄ  Ｏｃｔｏｂｅｒ  １６，  ２０１３  （Ｆｌｅｔｃｈｅｒ）；
米国特許出願Ｎｏ．１４／０５３，３１４  ｆｏｒ  Ｉｎｄｉｃｉａ  Ｒｅａｄｅｒ，  ｆｉｌｅｄ  Ｏｃｔｏｂｅｒ  １４，  ２０１３  （Ｈｕｃｋ）；
米国特許出願Ｎｏ．１４／０６５，７６８  ｆｏｒ  Ｈｙｂｒｉｄ  Ｓｙｓｔｅｍ  ａｎｄ  Ｍｅｔｈｏｄ  ｆｏｒ  Ｒｅａｄｉｎｇ  Ｉｎｄｉｃｉａ，  ｆｉｌｅｄ  Ｏｃｔｏｂｅｒ  ２９，  ２０１３  （Ｍｅｉｅｒ  ｅｔ  ａｌ．）；
米国特許出願Ｎｏ．１４／０７４，７４６  ｆｏｒ  Ｓｅｌｆ−Ｃｈｅｃｋｏｕｔ  Ｓｈｏｐｐｉｎｇ  Ｓｙｓｔｅｍ，  ｆｉｌｅｄ  Ｎｏｖｅｍｂｅｒ  ８，  ２０１３  （Ｈｅｊｌ  ｅｔ  ａｌ．）；
米国特許出願Ｎｏ．１４／０７４，７８７  ｆｏｒ  Ｍｅｔｈｏｄ  ａｎｄ  Ｓｙｓｔｅｍ  ｆｏｒ  Ｃｏｎｆｉｇｕｒｉｎｇ  Ｍｏｂｉｌｅ  Ｄｅｖｉｃｅｓ  ｖｉａ  ＮＦＣ  Ｔｅｃｈｎｏｌｏｇｙ，  ｆｉｌｅｄ  Ｎｏｖｅｍｂｅｒ  ８，  ２０１３  （Ｓｍｉｔｈ  ｅｔ  ａｌ．）；
米国特許出願Ｎｏ．１４／０８７，１９０  ｆｏｒ  Ｏｐｔｉｍａｌ  Ｒａｎｇｅ  Ｉｎｄｉｃａｔｏｒｓ  ｆｏｒ  Ｂａｒ  Ｃｏｄｅ  Ｖａｌｉｄａｔｉｏｎ，  ｆｉｌｅｄ  Ｎｏｖｅｍｂｅｒ  ２２，  ２０１３  （Ｈｅｊｌ）；
米国特許出願Ｎｏ．１４／０９４，０８７  ｆｏｒ  Ｍｅｔｈｏｄ  ａｎｄ  Ｓｙｓｔｅｍ  ｆｏｒ  Ｃｏｍｍｕｎｉｃａｔｉｎｇ  Ｉｎｆｏｒｍａｔｉｏｎ  ｉｎ  ａｎ  Ｄｉｇｉｔａｌ  Ｓｉｇｎａｌ，  ｆｉｌｅｄ  Ｄｅｃｅｍｂｅｒ  ２，  ２０１３  （Ｐｅａｋｅ  ｅｔ  ａｌ．）；
米国特許出願Ｎｏ．１４／１０１，９６５  ｆｏｒ  Ｈｉｇｈ  Ｄｙｎａｍｉｃ−Ｒａｎｇｅ  Ｉｎｄｉｃｉａ  Ｒｅａｄｉｎｇ  Ｓｙｓｔｅｍ，  ｆｉｌｅｄ  Ｄｅｃｅｍｂｅｒ  １０，  ２０１３  （Ｘｉａｎ）；
米国特許出願Ｎｏ．１４／１５０，３９３  ｆｏｒ  Ｉｎｄｉｃｉａ−ｒｅａｄｅｒ  Ｈａｖｉｎｇ  Ｕｎｉｔａｒｙ  Ｃｏｎｓｔｒｕｃｔｉｏｎ  Ｓｃａｎｎｅｒ，  ｆｉｌｅｄ  Ｊａｎｕａｒｙ  ８，  ２０１４  （Ｃｏｌａｖｉｔｏ  ｅｔ  ａｌ．）；
米国特許出願Ｎｏ．１４／１５４，２０７  ｆｏｒ  Ｌａｓｅｒ  Ｂａｒｃｏｄｅ  Ｓｃａｎｎｅｒ，  ｆｉｌｅｄ  Ｊａｎｕａｒｙ  １４，  ２０１４  （Ｈｏｕ  ｅｔ  ａｌ．）；
米国特許出願Ｎｏ．１４／１６５，９８０  ｆｏｒ  Ｓｙｓｔｅｍ  ａｎｄ  Ｍｅｔｈｏｄ  ｆｏｒ  Ｍｅａｓｕｒｉｎｇ  Ｉｒｒｅｇｕｌａｒ  Ｏｂｊｅｃｔｓ  ｗｉｔｈ  ａ  Ｓｉｎｇｌｅ  Ｃａｍｅｒａ  ｆｉｌｅｄ  Ｊａｎｕａｒｙ  ２８，  ２０１４  （Ｌｉ  ｅｔ  ａｌ．）；
米国特許出願Ｎｏ．１４／１６６，１０３  ｆｏｒ  Ｉｎｄｉｃｉａ  Ｒｅａｄｉｎｇ  Ｔｅｒｍｉｎａｌ  Ｉｎｃｌｕｄｉｎｇ  Ｏｐｔｉｃａｌ  Ｆｉｌｔｅｒ  ｆｉｌｅｄ  Ｊａｎｕａｒｙ  ２８，  ２０１４  （Ｌｕ  ｅｔ  ａｌ．）；
米国特許出願Ｎｏ．１４／２００，４０５  ｆｏｒ  Ｉｎｄｉｃｉａ  Ｒｅａｄｅｒ  ｆｏｒ  Ｓｉｚｅ−Ｌｉｍｉｔｅｄ  Ａｐｐｌｉｃａｔｉｏｎｓ  ｆｉｌｅｄ  Ｍａｒｃｈ  ７，  ２０１４  （Ｆｅｎｇ  ｅｔ  ａｌ．）；
米国特許出願Ｎｏ．１４／２３１，８９８  ｆｏｒ  Ｈａｎｄ−Ｍｏｕｎｔｅｄ  Ｉｎｄｉｃｉａ−Ｒｅａｄｉｎｇ  Ｄｅｖｉｃｅ  ｗｉｔｈ  Ｆｉｎｇｅｒ  Ｍｏｔｉｏｎ  Ｔｒｉｇｇｅｒｉｎｇ  ｆｉｌｅｄ  Ａｐｒｉｌ  １，  ２０１４  （Ｖａｎ  Ｈｏｒｎ  ｅｔ  ａｌ．）；
米国特許出願Ｎｏ．１４／２５０，９２３ｆｏｒ  Ｒｅａｄｉｎｇ  Ａｐｐａｒａｔｕｓ  Ｈａｖｉｎｇ  Ｐａｒｔｉａｌ  Ｆｒａｍｅ  Ｏｐｅｒａｔｉｎｇ  Ｍｏｄｅ  ｆｉｌｅｄ  Ａｐｒｉｌ  １１，  ２０１４，  （Ｄｅｎｇ  ｅｔ  ａｌ．）；
米国特許出願Ｎｏ．１４／２５７，１７４  ｆｏｒ  Ｉｍａｇｉｎｇ  Ｔｅｒｍｉｎａｌ  Ｈａｖｉｎｇ  Ｄａｔａ  Ｃｏｍｐｒｅｓｓｉｏｎ  ｆｉｌｅｄ  Ａｐｒｉｌ  ２１，  ２０１４，  （Ｂａｒｂｅｒ  ｅｔ  ａｌ．）；
米国特許出願Ｎｏ．１４／２５７，３６４  ｆｏｒ  Ｄｏｃｋｉｎｇ  Ｓｙｓｔｅｍ  ａｎｄ  Ｍｅｔｈｏｄ  Ｕｓｉｎｇ  Ｎｅａｒ  Ｆｉｅｌｄ  Ｃｏｍｍｕｎｉｃａｔｉｏｎ  ｆｉｌｅｄ  Ａｐｒｉｌ  ２１，  ２０１４  （Ｓｈｏｗｅｒｉｎｇ）；
米国特許出願Ｎｏ．１４／２６４，１７３  ｆｏｒ  Ａｕｔｏｆｏｃｕｓ  Ｌｅｎｓ  Ｓｙｓｔｅｍ  ｆｏｒ  Ｉｎｄｉｃｉａ  Ｒｅａｄｅｒｓ  ｆｉｌｅｄ  Ａｐｒｉｌ  ２９，  ２０１４  （Ａｃｋｌｅｙ  ｅｔ  ａｌ．）；
米国特許出願Ｎｏ．１４／２７４，８５８  ｆｏｒ  Ｍｏｂｉｌｅ  Ｐｒｉｎｔｅｒ  ｗｉｔｈ  Ｏｐｔｉｏｎａｌ  Ｂａｔｔｅｒｙ  Ａｃｃｅｓｓｏｒｙ  ｆｉｌｅｄ  Ｍａｙ  １２，  ２０１４  （Ｍａｒｔｙ  ｅｔ  ａｌ．）；
米国特許出願Ｎｏ．１４／２７７，３３７  ｆｏｒ  ＭＵＬＴＩＰＵＲＰＯＳＥ  ＯＰＴＩＣＡＬ  ＲＥＡＤＥＲ，  ｆｉｌｅｄ  Ｍａｙ  １４，  ２０１４  （Ｊｏｖａｎｏｖｓｋｉ  ｅｔ  ａｌ．）；
米国特許出願Ｎｏ．１４／２８３，２８２  ｆｏｒ  ＴＥＲＭＩＮＡＬ  ＨＡＶＩＮＧ  ＩＬＬＵＭＩＮＡＴＩＯＮ  ＡＮＤ  ＦＯＣＵＳ  ＣＯＮＴＲＯＬ  ｆｉｌｅｄ  Ｍａｙ  ２１，  ２０１４  （Ｌｉｕ  ｅｔ  ａｌ．）；
米国特許出願Ｎｏ．１４／３００，２７６  ｆｏｒ  ＭＥＴＨＯＤ  ＡＮＤ  ＳＹＳＴＥＭ  ＦＯＲ  ＣＯＮＳＩＤＥＲＩＮＧ  ＩＮＦＯＲＭＡＴＩＯＮ  ＡＢＯＵＴ  ＡＮ  ＥＸＰＥＣＴＥＤ  ＲＥＳＰＯＮＳＥ  ＷＨＥＮ  ＰＥＲＦＯＲＭＩＮＧ  ＳＰＥＥＣＨ  ＲＥＣＯＧＮＩＴＩＯＮ，  ｆｉｌｅｄ  Ｊｕｎｅ  １０，  ２０１４  （Ｂｒａｈｏ  ｅｔ  ａｌ．）；
米国特許出願Ｎｏ．１４／３０５，１５３  ｆｏｒ  ＩＮＤＩＣＩＡ  ＲＥＡＤＩＮＧ  ＳＹＳＴＥＭ  ＥＭＰＬＯＹＩＮＧ  ＤＩＧＩＴＡＬ  ＧＡＩＮ  ＣＯＮＴＲＯＬ  ｆｉｌｅｄ  Ｊｕｎｅ  １６，  ２０１４  （Ｘｉａｎ  ｅｔ  ａｌ．）；
米国特許出願Ｎｏ．１４／３１０，２２６  ｆｏｒ  ＡＵＴＯＦＯＣＵＳＩＮＧ  ＯＰＴＩＣＡＬ  ＩＭＡＧＩＮＧ  ＤＥＶＩＣＥ  ｆｉｌｅｄ  Ｊｕｎｅ  ２０，  ２０１４  （Ｋｏｚｉｏｌ  ｅｔ  ａｌ．）；
米国特許出願Ｎｏ．１４／３２７，７２２  ｆｏｒ  ＣＵＳＴＯＭＥＲ  ＦＡＣＩＮＧ  ＩＭＡＧＩＮＧ  ＳＹＳＴＥＭＳ  ＡＮＤ  ＭＥＴＨＯＤＳ  ＦＯＲ  ＯＢＴＡＩＮＩＮＧ  ＩＭＡＧＥＳ  ｆｉｌｅｄ  Ｊｕｌｙ  １０，  ２０１４  （Ｏｂｅｒｐｒｉｌｌｅｒ  ｅｔ  ａｌ，）；
米国特許出願Ｎｏ．１４／３２７，８２７  ｆｏｒ  ａ  ＭＯＢＩＬＥ−ＰＨＯＮＥ  ＡＤＡＰＴＥＲ  ＦＯＲ  ＥＬＥＣＴＲＯＮＩＣ  ＴＲＡＮＳＡＣＴＩＯＮＳ，  ｆｉｌｅｄ  Ｊｕｌｙ  １０，  ２０１４  （Ｈｅｊｌ）；
米国特許出願Ｎｏ．１４／３２９，３０３  ｆｏｒ  ＣＥＬＬ  ＰＨＯＮＥ  ＲＥＡＤＩＮＧ  ＭＯＤＥ  ＵＳＩＮＧ  ＩＭＡＧＥ  ＴＩＭＥＲ  ｆｉｌｅｄ  Ｊｕｌｙ  １１，  ２０１４  （Ｃｏｙｌｅ）；
米国特許出願Ｎｏ．１４／３３３，５８８  ｆｏｒ  ＳＹＭＢＯＬ  ＲＥＡＤＩＮＧ  ＳＹＳＴＥＭ  ＷＩＴＨ  ＩＮＴＥＧＲＡＴＥＤ  ＳＣＡＬＥ  ＢＡＳＥ  ｆｉｌｅｄ  Ｊｕｌｙ  １７，  ２０１４  （Ｂａｒｔｅｎ）；
米国特許出願Ｎｏ．１４／３３４，９３４  ｆｏｒ  ａ  ＳＹＳＴＥＭ  ＡＮＤ  ＭＥＴＨＯＤ  ＦＯＲ  ＩＮＤＩＣＩＡ  ＶＥＲＩＦＩＣＡＴＩＯＮ，  ｆｉｌｅｄ  Ｊｕｌｙ  １８，  ２０１４  （Ｈｅｊｌ）；
米国特許出願Ｎｏ．１４／３３６，１８８  ｆｏｒ  ＭＥＴＨＯＤ  ＯＦ  ＡＮＤ  ＳＹＳＴＥＭ  ＦＯＲ  ＤＥＴＥＣＴＩＮＧ  ＯＢＪＥＣＴ  ＷＥＩＧＨＩＮＧ  ＩＮＴＥＲＦＥＲＥＮＣＥＳ，  Ｆｉｌｅｄ  Ｊｕｌｙ  ２１，  ２０１４  （Ａｍｕｎｄｓｅｎ  ｅｔ  ａｌ．）；
米国特許出願Ｎｏ．１４／３３９，７０８  ｆｏｒ  ＬＡＳＥＲ  ＳＣＡＮＮＩＮＧ  ＣＯＤＥ  ＳＹＭＢＯＬ  ＲＥＡＤＩＮＧ  ＳＹＳＴＥＭ，  ｆｉｌｅｄ  Ｊｕｌｙ  ２４，  ２０１４  （Ｘｉａｎ  ｅｔ  ａｌ．）；
米国特許出願Ｎｏ．１４／３４０，６２７  ｆｏｒ  ａｎ  ＡＸＩＡＬＬＹ  ＲＥＩＮＦＯＲＣＥＤ  ＦＬＥＸＩＢＬＥ  ＳＣＡＮ  ＥＬＥＭＥＮＴ，  ｆｉｌｅｄ  Ｊｕｌｙ  ２５，  ２０１４  （Ｒｕｅｂｌｉｎｇｅｒ  ｅｔ  ａｌ．）；
米国特許出願Ｎｏ．１４／３４０，７１６  ｆｏｒ  ａｎ  ＯＰＴＩＣＡＬ  ＩＭＡＧＥＲ  ＡＮＤ  ＭＥＴＨＯＤ  ＦＯＲ  ＣＯＲＲＥＬＡＴＩＮＧ  Ａ  ＭＥＤＩＣＡＴＩＯＮ  ＰＡＣＫＡＧＥ  ＷＩＴＨ  Ａ  ＰＡＴＩＥＮＴ，  ｆｉｌｅｄ  Ｊｕｌｙ  ２５，  ２０１４  （Ｅｌｌｉｓ）；
米国特許出願Ｎｏ．１４／３４２，５４４  ｆｏｒ  Ｉｍａｇｉｎｇ  Ｂａｓｅｄ  Ｂａｒｃｏｄｅ  Ｓｃａｎｎｅｒ  Ｅｎｇｉｎｅ  ｗｉｔｈ  Ｍｕｌｔｉｐｌｅ  Ｅｌｅｍｅｎｔｓ  Ｓｕｐｐｏｒｔｅｄ  ｏｎ  ａ  Ｃｏｍｍｏｎ  Ｐｒｉｎｔｅｄ  Ｃｉｒｃｕｉｔ  Ｂｏａｒｄ  ｆｉｌｅｄ  Ｍａｒｃｈ  ４，  ２０１４  （Ｌｉｕ  ｅｔ  ａｌ．）；
米国特許出願Ｎｏ．１４／３４５，７３５  ｆｏｒ  Ｏｐｔｉｃａｌ  Ｉｎｄｉｃｉａ  Ｒｅａｄｉｎｇ  Ｔｅｒｍｉｎａｌ  ｗｉｔｈ  Ｃｏｍｂｉｎｅｄ  Ｉｌｌｕｍｉｎａｔｉｏｎ  ｆｉｌｅｄ  Ｍａｒｃｈ  １９，  ２０１４  （Ｏｕｙａｎｇ）；
米国特許出願Ｎｏ．１４／３３６，１８８  ｆｏｒ  ＭＥＴＨＯＤ  ＯＦ  ＡＮＤ  ＳＹＳＴＥＭ  ＦＯＲ  ＤＥＴＥＣＴＩＮＧ  ＯＢＪＥＣＴ  ＷＥＩＧＨＩＮＧ  ＩＮＴＥＲＦＥＲＥＮＣＥＳ，  Ｆｉｌｅｄ  Ｊｕｌｙ  ２１，  ２０１４  （Ａｍｕｎｄｓｅｎ  ｅｔ  ａｌ．）；
米国特許出願Ｎｏ．１４／３５５，６１３  ｆｏｒ  Ｏｐｔｉｃａｌ  Ｉｎｄｉｃｉａ  Ｒｅａｄｉｎｇ  Ｔｅｒｍｉｎａｌ  ｗｉｔｈ  Ｃｏｌｏｒ  Ｉｍａｇｅ  Ｓｅｎｓｏｒ  ｆｉｌｅｄ  Ｍａｙ  １，  ２０１４  （Ｌｕ  ｅｔ  ａｌ．）；
米国特許出願Ｎｏ．１４／３７０，２３７  ｆｏｒ  ＷＥＢ−ＢＡＳＥＤ  ＳＣＡＮ−ＴＡＳＫ  ＥＮＡＢＬＥＤ  ＳＹＳＴＥＭ  ＡＮＤ  ＭＥＴＨＯＤ  ＯＦ  ＡＮＤ  ＡＰＰＡＲＡＴＵＳ  ＦＯＲ  ＤＥＶＥＬＯＰＩＮＧ  ＡＮＤ  ＤＥＰＬＯＹＩＮＧ  ＴＨＥ  ＳＡＭＥ  ＯＮ  Ａ  ＣＬＩＥＮＴ−ＳＥＲＶＥＲ  ＮＥＴＷＯＲＫ  ｆｉｌｅｄ  ０７／０２／２０１４  （Ｃｈｅｎ  ｅｔ  ａｌ．）；
米国特許出願Ｎｏ．１４／３７０，２６７  ｆｏｒ  ＩＮＤＵＳＴＲＩＡＬ  ＤＥＳＩＧＮ  ＦＯＲ  ＣＯＮＳＵＭＥＲ  ＤＥＶＩＣＥ  ＢＡＳＥＤ  ＳＣＡＮＮＩＮＧ  ＡＮＤ  ＭＯＢＩＬＩＴＹ，  ｆｉｌｅｄ  Ｊｕｌｙ  ２，  ２０１４  （Ｍａ  ｅｔ  ａｌ．）；
米国特許出願Ｎｏ．１４／３７６，４７２，  ｆｏｒ  ａｎ  ＥＮＣＯＤＥＤ  ＩＮＦＯＲＭＡＴＩＯＮ  ＲＥＡＤＩＮＧ  ＴＥＲＭＩＮＡＬ  ＩＮＣＬＵＤＩＮＧ  ＨＴＴＰ  ＳＥＲＶＥＲ，  ｆｉｌｅｄ  ０８−０４−２０１４  （Ｌｕ）；
米国特許出願Ｎｏ．１４／３７９，０５７  ｆｏｒ  ＭＥＴＨＯＤ  ＯＦ  ＵＳＩＮＧ  ＣＡＭＥＲＡ  ＳＥＮＳＯＲ  ＩＮＴＥＲＦＡＣＥ  ＴＯ  ＴＲＡＮＳＦＥＲ  ＭＵＬＴＩＰＬＥ  ＣＨＡＮＮＥＬＳ  ＯＦ  ＳＣＡＮ  ＤＡＴＡ  ＵＳＩＮＧ  ＡＮ  ＩＭＡＧＥ  ＦＯＲＭＡＴ  ｆｉｌｅｄ  Ａｕｇｕｓｔ  １５，  ２０１４  （Ｗａｎｇ  ｅｔ  ａｌ．）；
米国特許出願Ｎｏ．１４／４５２，６９７  ｆｏｒ  ＩＮＴＥＲＡＣＴＩＶＥ  ＩＮＤＩＣＩＡ  ＲＥＡＤＥＲ，  ｆｉｌｅｄ  Ａｕｇｕｓｔ  ６，  ２０１４  （Ｔｏｄｅｓｃｈｉｎｉ）；
米国特許出願Ｎｏ．１４／４５３，０１９  ｆｏｒ  ＤＩＭＥＮＳＩＯＮＩＮＧ  ＳＹＳＴＥＭ  ＷＩＴＨ  ＧＵＩＤＥＤ  ＡＬＩＧＮＭＥＮＴ，  ｆｉｌｅｄ  Ａｕｇｕｓｔ  ６，  ２０１４  （Ｌｉ  ｅｔ  ａｌ．）；
米国特許出願Ｎｏ．１４／４６０，３８７  ｆｏｒ  ＡＰＰＡＲＡＴＵＳ  ＦＯＲ  ＤＩＳＰＬＡＹＩＮＧ  ＢＡＲ  ＣＯＤＥＳ  ＦＲＯＭ  ＬＩＧＨＴ  ＥＭＩＴＴＩＮＧ  ＤＩＳＰＬＡＹ  ＳＵＲＦＡＣＥＳ  ｆｉｌｅｄ  Ａｕｇｕｓｔ  １５，  ２０１４  （Ｖａｎ  Ｈｏｒｎ  ｅｔ  ａｌ．）；
米国特許出願Ｎｏ．１４／４６０，８２９  ｆｏｒ  ＥＮＣＯＤＥＤ  ＩＮＦＯＲＭＡＴＩＯＮ  ＲＥＡＤＩＮＧ  ＴＥＲＭＩＮＡＬ  ＷＩＴＨ  ＷＩＲＥＬＥＳＳ  ＰＡＴＨ  ＳＥＬＥＣＴＯＮ  ＣＡＰＡＢＩＬＩＴＹ，  ｆｉｌｅｄ  Ａｕｇｕｓｔ  １５，  ２０１４  （Ｗａｎｇ  ｅｔ  ａｌ．）；
米国特許出願Ｎｏ．１４／４６２，８０１  ｆｏｒ  ＭＯＢＩＬＥ  ＣＯＭＰＵＴＩＮＧ  ＤＥＶＩＣＥ  ＷＩＴＨ  ＤＡＴＡ  ＣＯＧＮＩＴＩＯＮ  ＳＯＦＴＷＡＲＥ，  ｆｉｌｅｄ  ｏｎ  Ａｕｇｕｓｔ  １９，  ２０１４  （Ｔｏｄｅｓｃｈｉｎｉ  ｅｔ  ａｌ．）；
米国特許出願Ｎｏ．１４／４４６，３８７  ｆｏｒ  ＩＮＤＩＣＩＡ  ＲＥＡＤＩＮＧ  ＴＥＲＭＩＮＡＬ  ＰＲＯＣＥＳＳＩＮＧ  ＰＬＵＲＡＬＩＴＹ  ＯＦ  ＦＲＡＭＥＳ  ＯＦ  ＩＭＡＧＥ  ＤＡＴＡ  ＲＥＳＰＯＮＳＩＶＥＬＹ  ＴＯ  ＴＲＩＧＧＥＲ  ＳＩＧＮＡＬ  ＡＣＴＩＶＡＴＩＯＮ  ｆｉｌｅｄ  Ｊｕｌｙ  ３０，  ２０１４  （Ｗａｎｇ  ｅｔ  ａｌ．）；
米国特許出願Ｎｏ．１４／４４６，３９１  ｆｏｒ  ＭＵＬＴＩＦＵＮＣＴＩＯＮ  ＰＯＩＮＴ  ＯＦ  ＳＡＬＥ  ＡＰＰＡＲＡＴＵＳ  ＷＩＴＨ  ＯＰＴＩＣＡＬ  ＳＩＧＮＡＴＵＲＥ  ＣＡＰＴＵＲＥ  ｆｉｌｅｄ  Ｊｕｌｙ  ３０，  ２０１４  （Ｇｏｏｄ  ｅｔ  ａｌ．）；
米国特許出願Ｎｏ．２９／４８６，７５９  ｆｏｒ  ａｎ  Ｉｍａｇｉｎｇ  Ｔｅｒｍｉｎａｌ，  ｆｉｌｅｄ  Ａｐｒｉｌ  ２，  ２０１４  （Ｏｂｅｒｐｒｉｌｌｅｒ  ｅｔ  ａｌ．）；
米国特許出願Ｎｏ．２９／４９２，９０３  ｆｏｒ  ａｎ  ＩＮＤＩＣＩＡ  ＳＣＡＮＮＥＲ，  ｆｉｌｅｄ  Ｊｕｎｅ  ４，  ２０１４  （Ｚｈｏｕ  ｅｔ  ａｌ．）；
米国特許出願Ｎｏ．２９／４９４，７２５  ｆｏｒ  ａｎ  ＩＮ−ＣＯＵＮＴＥＲ  ＢＡＲＣＯＤＥ  ＳＣＡＮＮＥＲ，  ｆｉｌｅｄ  Ｊｕｎｅ  ２４，  ２０１４  （Ｏｂｅｒｐｒｉｌｌｅｒ  ｅｔ  ａｌ．）
[0041]明細書および／または図面において、本発明の典型的な実施形態を開示した。本発明は、そのような例示的な実施形態に限定されない。「および／または」という用語の使用は、関連する列挙された項目のうちの１つまたは複数の項目のいずれかおよび全ての組み合わせを含む。図面は略図であるので、必ずしも縮尺通りに描かれていない。特記のない限り、特定の用語は、限定の目的ではなく、一般的かつ説明的な意味で用いられている。
【符号の説明】
【００２７】
１０  スマートウォッチ
１１  カメラ
１２  ユーザインターフェース
１３  バーコード復号ソフトウェア
１４  プロセッサ
１５  システムバス
１６  無線通信システム
【図１】
2016091567.tif 000003
【図２】
2016091567.tif 000004
【外国語明細書】
2016091567000001.pdf